(57)【要約】【課題】  外部機器からの録画制御処理に対して、録画機器の起動状態によらずに外部入力からの入力映像を録画出来る方法を提供する。【解決手段】  録画制御方法において、付属リモコンと外部機器からの制御用に受信するリモコンコードに異なるコードを割り当て、外部機器から制御用に送信されるリモコンコードを受信した時には、外部機器からの制御に合わせた固有の処理を行う処理を用いる。【選択図】図３
2006319383.tif 000002
【特許請求の範囲】
【請求項１】
外部チューナを接続して、この外部チューナが受信した番組を録画する録画機器であって、
受信したリモートコントロールコードが、前記録画機器を制御するリモートコントローラが送出したものか、前記外部チューナが送出したものか、判別し、
この判別結果に基づいて前記リモートコントロールコードの実行を判定することを特徴とする録画機器。
【請求項２】
請求項１に記載の録画機器であって、
受信したリモートコントロールコードが、前記外部チューナからの録画開始であるとき、入力先として前記外部チューナを選択した後録画開始することを特徴とする録画機器。
【請求項３】
請求項１または請求項２に記載の録画機器であって、
前記リモートコントローラにより起動されたとき、前記外部チューナから受信したリモートコントロールコードを実行しないことを特徴とする録画機器。
【発明の詳細な説明】
【技術分野】
【０００１】
本発明は録画機器に係り、特に外部チューナ機器を接続して外部チューナからの放送番組を録画する録画機器に関する。 
【背景技術】
【０００２】
現在放送されているテレビ番組は、アナログ／デジタル地上波、アナログ／デジタルＢＳ波、ＣＳデジタル波など多岐にわたっている。録画機器のユーザは、録画機器に搭載されていない放送形態の番組を録画する場合、外部チューナ機器を用いて、チューナ機器の視聴予約録画連動機能を使って外部入力端子経由で録画機器に録画させる。
【０００３】
特許文献１には、視聴予約録画連動機能を使って外部入力端子経由で録画機器に録画させるとき、録画機器の電源状態を信号出力の有無で判断する検出回路を用いて、電源制御のリモコンコード送信の要否を判断し、特定チャンネル番号コードを送信して通常チャンネル受信モードにしてから外部入力切換コードを送信して外部入力を録画する状態にする放送受信装置および予約録画システムが記載されている。 
【特許文献１】特開２０００−２６８４４０号公報
【発明の開示】
【発明が解決しようとする課題】
【０００４】
視聴予約録画連動機能は、予めチューナ機器に録画機器が受け付けるリモートコントロールコード（以下リモコンコードと略記）を送信するように設定しておき、チューナ機器に設定された視聴予約動作に合わせて、視聴予約番組開始時にチューナ機器が録画機器に向けて電源制御するためのリモコンコードを送信、その後、録画開始、録画停止、電源制御と番組視聴の時間に合わせてリモコンコードを送信して、視聴予約番組を録画機器に外部入力端子を介して録画させる機能である。しかし、前提条件として録画機器が外部入力を録画する状態で起動することを要求しており、通常は電源ＯＮ時に電源ＯＦＦ時に選局していたラストチャンネルが選局されるという機能を利用し、外部入力を選局した状態で録画機器を電源ＯＦＦして待機させる必要がある。
【０００５】
しかしながら、家庭内など複数の使用者がいる場合、ＤＶＤ／ＨＤＤレコーダなどではタイムシフト機能を持っているため、予約録画状態を気にせずに使用される。また、外部チューナ機器側で視聴予約連動録画を設定していても、録画機器からは視聴予約状態が分からないので、外部入力を選局しないで電源ＯＦＦされることがある。この結果、希望どおり視聴予約番組が録画されないなどの問題が発生する。
【０００６】
特許文献１記載の放送受信装置および予約録画システムでは、チューナ機器に録画機器からの映像出力を入力させ、その信号状態を検出する信号検出回路によって録画機器の電源状態を判別すると共に、録画機器に外部入力を選局させるために、例えば外部入力に切り換えるためのコードや、そのコードが有効に機能するために録画機器の状態を遷移させるためのコードなどを予めチューナ機器に登録する必要がある。
【０００７】
本発明の目的は、録画機器側の制御によって外部チューナ機器などからの基本的なリモコンコード制御のみで動作し、録画機器の起動状態によらない外部入力録画を可能にすることにある。
【課題を解決するための手段】
【０００８】
本発明による録画機器は、録画機器の操作用に付属するリモートコントローラ（以下リモコンと略記）に割り当てるリモコンコードと外部機器が録画機器を制御するために使用するリモコンコードに異なるコードセットを割り当て、リモコンコードを受信する録画機器がリモコンコードの送信元を判別できるようにし、録画機器の起動状態によってリモコンコードに対する処理内容を変えることを特徴とし、処理実行時の問合せを可能にし、処理結果を保存して、後で確認出来るようにするものである。
【０００９】
換言すれば、本発明の録画機器は、受信したリモートコントロールコードが、録画機器を制御するリモートコントローラが送出したものか、外部チューナが送出したものか、判別し、この判別結果に基づいて前記リモートコントロールコードの実行を判定するのである。
【発明の効果】
【００１０】
本発明によれば、付属リモコンからのリモコンコードと外部機器から送信させるリモコンコードに異なるリモコンコードを使用するので、録画機器は制御元対象を判別でき、外部機器からの録画指示に対しては自動的に外部入力経由の映像を録画することで、外部機器による連動録画制御が容易になる。
【発明を実施するための最良の形態】
【００１１】
以下、本発明の実施の形態について、実施例を用いて図１ないし図１１を参照しながら詳細に説明する。なお、実施の形態を説明するための全図において、同一の部材には原則として同一の符号を付し、その繰り返しの説明は省略する。ここで、図１は、録画機器と外部チューナ機器の接続関係を説明する図である。図２は、録画機器のブロック図である。図３は、録画制御のフローチャートである。図４は、リモコンコード表を説明する図である。図５は、電源切換と入力切替を説明する図である。図６は、外部入力切替情報を付与されたリモコンコードを説明する図である。図７は、起動コードを説明する図である。図７は、処理内容結果情報を説明する図である。図８は、処理内容結果ログを説明する図である。図９は、起動コードを考慮した受信リモコンコード表を説明する図である。図１０は、リモコンコードセットとコード発信機器の対応を説明する図である。図１１は、リモコンコード表の他の実施例である。
【００１２】
図１において、外部チューナ機器２００は、ＣＳ・ＢＳデジタルチューナ機器であり、録画機器１００は、デジタル録画機器である。外部チューナ機器２００は、図示しないアンテナと接続され、その出力端子２２０は信号線２３０で録画機器１００の外部入力端子１７０と接続されている。また、外部チューナ機器２００のリモコンコード送信部２１０は、録画機器１００のリモコン受信制御部１４０にリモコンコードを送信できる位置に置かれている。録画機器１００には、モニタ３００が接続され、録画した内容を視聴できる。
【００１３】
外部チューナ機器２００は、放送データによって受信した番組の映像信号を信号線２３０を介して録画機器１００に出力する。録画機器１００は、信号線２３０からの映像信号を外部入力１経由で入力されている。なお、リモコンコード送信部２１０は外部チューナ機器２００が外部機器（録画機器）制御に出力するリモコンコードを送信するためのコード送信部である。
【００１４】
一般的な録画機器のリモコン受信制御部には、複数のリモコンコードセットが準備されている。これは、例えば２台の録画機器（Ａ、Ｂ）を並べておいたとき、２台の録画機器のリモコンコードをそれぞれ異なるようにしておかないと、１台のリモコンで２台の録画機器が動作してしまうためである。即ち一般的な録画機器は、リモコンコードのセットは複数準備されていても、特定のリモコンコードセットのみで動作する。
【００１５】
図１に記載した録画機器１００にも、複数のリモコンコードセットが準備されている。しかし、録画機器１００は、特定のリモコンコードのみで動作するのではなく、付属リモコン１６０からのリモコンコードと外部チューナ機器２００のリモコンコード送信部２１０からのリモコンコードのセットを変えておくことで、両者を区別し、両者のリモコンコードで動作する。
なお、図１の一般的な外部チューナ機器２００には、録画機器製造メーカ各社のそれぞれ複数のセットのリモコンコードが記録され、外部チューナ機器が接続される録画機器に適用するリモコンコードのセットを送出可能である。
【００１６】
図２において、録画機器１００は地上波の放送を受信するＴＶチューナ回路１０５を持ち、地上波の番組を受信する。信号切換制御部１１０は、外部入力１と外部入力２の外部入力信号を切換選択する。録画・再生制御部１１５は、ＴＶチューナ回路１０５または信号切換制御部１１０から入力される映像信号をデジタル圧縮して記憶装置１５０に保存する。録画・再生制御部１１５は、また、保存された映像信号をデコードにより伸張して、表示制御部１２０を介してモニタ３００に表示する。
【００１７】
ＣＰＵ１３０は、付属リモコン１６０または図１のリモコンコード送信部２１０が送信したリモコンコードを受信したリモコン受信制御部１４０からの情報を受けて、外部入力の切換や番組の録画開始／停止指示などを行うシステム制御を実施する。また、処理の内容を記憶装置１５０に保存する。ＣＰＵ１３０には、記憶装置１３５が接続され一次記憶に利用される。
【００１８】
なお、リモコン受信制御部１４０は、録画機器１００の電源ＯＦＦの状態でも通電されており、電源切換信号を受信したときに電源をＯＮする。したがって、リモコン受信制御部１４０は、リモコンコードを録画機器１００本体が電源ＯＦＦの場合も、リモコンコードをデコード可能なように記憶装置１４５にリモコンコード表（図示せず）を記録しておく。
【００１９】
ＴＶチューナ回路１０５、信号切換制御部１１０、録画・再生制御部１１５、表示制御部１２０、ＣＰＵ１３０、リモコン受信制御部１４０、記憶装置１５０はそれぞれバス１５５に接続され、信号を送受する。また、アンテナ端子１７５はアンテナと接続し、外部入力端子１７０には、外部チューナを接続する。モニタ端子１８０には、モニタ３００を接続する。
【００２０】
図３ないし図９を用いて、録画機器のリモコンコードによる録画制御フローを説明する。なお、以下の説明では付属リモコンまたはリモコンコード送信部から送出されるリモコンコードを前提として説明する。録画機器本体の操作ボタンによる操作は、リモコンコードを送出する訳ではないが、説明の簡便のためこれを含めてリモコンコードとして説明する。
【００２１】
まず、録画機器が保持するテーブルを説明しよう。図４はリモコンコード表１０である。リモコンコード表１０は、受信したリモコンコード１３と、処理動作１２の対応を記載した表である。ただし、前述したように録画機器には複数のリモコンコードセット（セットＡ、セットＢ、セットＣ）が記録されており、リモコンコードＡｎ、Ｂｎ、Ｃｎ（ｎは１ないし９）は原則的に同じ動作をする（例外を後述する）。また、発信機器欄１４には、リモコンコードセットが、どの機器に割り当てられているか記載されている。即ち、セットＡは付属リモコン、セットＢは外部チューナ１、セットＣは外部チューナ２に割り当てられているので、例えばリモコンコードＢ１を受信したならば、それは外部チューナ１から、電源切換信号を受信したことを意味する。
なお、録画機器本体の操作ボタンによる操作は、付属リモコンと同じセットＡを割り付ける。これは他のテーブルでも同様である。
【００２２】
図５を用いて処理動作のうち電源切換と入力切替を説明する。リモコンコードＡ１（Ｂ１またはＣ１）は電源切換であり、図５（ａ）に示すように録画機器の電源がＯＮ状態ならば電源をＯＦＦし、電源がＯＦＦ状態ならば電源をＯＮする。一方、リモコンコードＡ２（Ｂ２またはＣ２）は入力切替であり、リモコンコードを受信するたびに、内部チューナ→外部入力１→外部入力２→内部チューナと入力を切替える。
【００２３】
図６において、図４に示したリモコンコード表では、リモコンコードＡ３、Ｂ３、Ｃ３はいずれも単に録画開始であるが、外部入力切替情報３０は、リモコンコード表に付け加えるデータを保持する。具体的には、リモコンコードＡ３は、付属リモコンの操作なので、操作者が内部チューナまたは外部チューナのいずれかを選択した後、録画開始すると判断し、現在選択中のチューナを用いて録画開始する。一方、リモコンコードＢ３は、外部入力１に接続された外部チューナからのリモコンコードなので、外部入力１を選択した後、録画開始する。リモコンコードＣ３も同様である。
【００２４】
図７は録画機器が保持する起動コード表である。起動コードとは、電源ＯＦＦ状態において電源切換コードを受信したときの電源切換コードである。また、停止コードは、電源ＯＮ状態において電源切換コードを受信したときの電源切換コードである。起動コード表２０は、項番、年月日、時刻、起動コード、停止コードで構成されて、起動中（電源ＯＮ状態）にした機器（付属リモコンまたは外部入力）を管理する。具体的には、停止コードが空欄の項番２３の起動コードＡ１で、起動したのが付属リモコン（または本体の電源ボタン）であることを示している。なお、図７ではログ状の表であるが、必要なのは起動した機器の情報なので、単に起動コードをメモリで管理しても良い。
【００２５】
図８において、処理内容結果ログ４０は、項番、年月日、時刻、受信コード、処理内容で構成され、処理があったとき、ログに追加される。また、異常処理はモニタに表示して、視聴者の注意を喚起する。
【００２６】
図３に戻って、録画機器のリモコンコードによる録画制御フローを説明する。録画機器がリモコンコードを受信すると受信したリモコンコードをコードとして保持する（Ｓ１１）。保持したコードをリモコンコード表１０を参照してデコードし、電源ＯＦＦ中の電源切換コード受信か判定する（Ｓ１２）。Ｙｅｓの場合、電源をＯＮにして、起動コード表に起動コード等を書き込む（Ｓ１３）。引き続き、リモコンコードの受信待ち（Ｓ１７）に遷移する。
【００２７】
一方、ステップ１２がＮｏの場合、リモコンコード表１０と起動コード表２０とを参照して判定を行い、コード内容の処理を受け付ける（Ｙｅｓ）か、受け付けないか（Ｎｏ）の分岐を行う（Ｓ１４）。Ｙｅｓの場合、コード内容に沿った処理を行った（Ｓ１５）後、コードの処理内容を処理内容結果ログ４０に書き出し（Ｓ１６）、リモコンコードの受信待ちに遷移する（Ｓ１７）。ステップ１４でＮｏの場合、ステップ１５を飛ばしてステップ１６に進みエラーログを作成した（Ｓ１６）後、リモコンコードの受信待ちに遷移する（Ｓ１７）。なお、ステップ１５において、処理が録画開始（Ａ３、Ｂ３またはＣ３）の場合には、図６に示した外部入力切替情報３０を利用して、コードがＢ３の時には外部入力１を選択した後録画開始し、コードがＣ３の時には外部入力２を選択した後録画開始する。このようにすることで、外部チューナ機器が受信した信号を、確実に録画可能としている。
【００２８】
ここでステップ１４の判定アルゴリズムについて、図９を用いて詳細に説明しよう。図９は、起動コードと受信コードとの組み合わせの結果定まる処理動作を説明した図である。即ち、起動コードと受信コードのセットが同じときには、受信したコードをそのまま実行する。また、セットＡは、優先度の高い付属リモコンまたは本体の動作ボタンの操作なので、起動コードがＢ１またはＣ１の時にも、一旦確認後、受信したリモコンコード（Ａ２〜Ａ９）に割り当てられた動作を実施する。ただし、受信したリモコンコードがＡ１の時には、電源ＯＮから電源ＯＦＦへの切換ではなく、起動コードをＡ１に置き換える。（図７の項番２３、２４参照）一方、受信したリモコンコードセットがセットＢまたはセットＣで、起動コードが同じでないときには（起動コードＡ１、起動コードＢ１で受信コードセットＣおよび起動コードＣ１で受信コードセットＢ）、実行しない（ステップ１４でＮｏ）。
【００２９】
図１ないし図３を用いて、ユーザが行う設定と録画登録、外部チューナ機器による録画機器制御をもう一度説明する。
まず、ユーザは録画機器１００の記憶装置１４５に保持するリモコンコード表１０に付属リモコンが使用するコードセットと外部機器からの制御用に使用するコードセットを設定する。また、記憶装置１５０に保持する外部入力切換情報３０には、外部機器からの録画開始指示時には外部入力１に切替えてから録画を開始するように設定する。その後、録画機器１００の電源をＯＦＦし、待機状態にする。
【００３０】
外部チューナ機器２００は、視聴予約録画連動機能を有しているので、ユーザは視聴（録画）したい番組を視聴予約し、視聴実行時には連動録画機能が働くように設定しておく。この時リモコン送信部２１０から送信するリモコンコードには、録画機器１００が外部機器からの制御用に設定したコードセットを送信するように選択する。
【００３１】
外部チューナ機器２００は、視聴予約の開始時間直前に録画機器１００にリモコン送信部２１０経由で録画機器１００を起動するための電源切換リモコンコード（Ｂ１）を送信する。録画機器１００のリモコン受信制御部１４０は、リモコンコード（Ｂ１）を受信すると、録画機器１００の電源を起動する。視聴開始時間になった時、外部チューナ機器２００は、リモコン送信部２１０から録画開始コード（Ｂ３）を送信する。リモコンコードＢ３を受信した録画機器１００は、外部入力切替情報３０に設定されている外部入力１にまず切替えてから録画する。
【００３２】
外部チューナ機器２００は、視聴予約番組の終了時にリモコン送信部２１０から録画停止コード（Ｂ４）を送信する。リモコンコードＢ４を受信した録画機器１００は、録画を停止し、電源切換コード（Ｂ１）を受信すると電源ＯＦＦする。上記の処理によって視聴予約録画連動機能が終了する。
【００３３】
なお、上述した実施例では、図４に示したリモコンコード表に、リモコンコードセットと発信機器の対応関係を記録していたが、これに限られず図１０のように別に記録してもかまわない。また、図４のリモコンコード表と図６の外部入力切替情報を一つにして、図１１のように構成してもよい。また、図９をリモコンコード表としてもよい。
【００３４】
本実施例では、外部入力切替情報３０を参照して、外部入力に切替えるので、録画機器１００の起動時の番組選局状態に関係なく外部入力１からの映像信号を録画することできる。
また、複数の外部機器にそれぞれ異なるリモコンコードセットを割り当て、そのコードセットを外部入力切換情報２０に設定することで、コードセットによって外部入力１に切替えたり、外部入力２に切替えたりすることが可能である。
【００３５】
一般的な録画電源切換コードに対して、録画機器はその状態をトグル遷移させるが普通であるが、本実施例では録画機器１００が付属リモコン１６０や本体の電源ボタンによって起動している場合（起動コードがＡ１）には、他の機器からの電源切換コードの受け付けをしない。これによって、付属リモコン１６０で録画機器１００を操作中に、外部機器からの電源切換コードによる予期せぬ電源ＯＦＦなどを抑制できる。この結果、ユーザの使い勝手を向上できる。
【００３６】
また、起動コードがＡ１の状態で外部チューナ機器２００から送信されたリモコンコードが録画開始を受信した場合には、表示制御部１２０を介してモニタ３００に外部機器からの録画開始要求の処理を受け付けるべきかユーザに問い合わせる画面を表示し、ユーザに処理の続行を判断させる。この場合、一定時間内にユーザによって付属リモコン１６０から録画開始があれば、外部機器からの録画開始を進め、一定期間後は無視する。後者の処理を自動的に受け付けなかった場合においても、処理内容結果情報３０にその結果を保持することで、ユーザは後で処理結果を確認することが出来る。
【００３７】
以上の実施例によって、外部機器からの録画制御時に、正確に外部機器からの映像信号を外部入力から録画することが可能になるばかりでなく、録画機器自体の操作中に外部機器からの電源制御や録画制御を抑制して、予期せぬ動作を無くすことができる。また、外部機器からの制御に対する処理結果を後で確認できる。これらによって、ユーザにとって使い勝手の良い録画機器が提供できる。
【図面の簡単な説明】
【００３８】
【図１】外部チューナ機器と録画機器の接続構成図である。
【図２】録画機器のブロック図である。
【図３】リモコンコードを処理のフローチャートである。
【図４】リモコンコード表を説明する図である。
【図５】電源切換と入力切替を説明する図である。
【図６】外部入力切替情報を付与されたリモコンコードを説明する図である。
【図７】起動コードを説明する図である。
【図８】処理内容結果ログを説明する図である。
【図９】起動コードを考慮した受信リモコンコード表を説明する図である。
【図１０】リモコンコードセットとコード発信機器の対応を説明する図である。
【図１１】リモコンコード表の他の実施例である。
【符号の説明】
【００３９】
１０…リモコンコード表、２０…起動コード、３０…外部入力切換情報、４０…処理内容結果ログ、１００…録画機器、１０５…ＴＶチューナ回路、１１０…信号切換制御部、１１５…録画・再生制御部、１２０…表示制御部、１３０…ＣＰＵ、１４０…リモコン受信制御部、１５０…記憶装置、１５５…バス、１６０…付属リモコン、１７０…外部入力端子、１７５…アンテナ端子、１８０…モニタ端子、２００…外部チューナ機器、２１０…リモコンコード送信部、２２０…出力端子、２３０…信号線、３００…モニタ。
【図１】
2006319383.tif 000003
【図２】
2006319383.tif 000004
【図３】
2006319383.tif 000005
【図４】
2006319383.tif 000006
【図５】
2006319383.tif 000007
【図６】
2006319383.tif 000008
【図７】
2006319383.tif 000009
【図８】
2006319383.tif 000010
【図９】
2006319383.tif 000011
【図１０】
2006319383.tif 000012
【図１１】
2006319383.tif 000013